(57)【要約】【課題】容易に無線ＬＡＮ接続を行う。【解決手段】無線通信端末１００が、アクセスポイント２００の複数の識別子を含むアクセスポイント２００へ接続するための接続設定情報を読み取り、読み取った接続設定情報を記憶し、記憶されている接続設定情報を読み出し、アクセスポイント２００から報知される識別子と、読み出した接続設定情報とを用いて、アクセスポイント２００との間で無線通信接続の設定を行う。【選択図】図１
2013143616.tif 000002
【特許請求の範囲】
【請求項１】
アクセスポイントを含む無線通信システムに用いる無線通信端末であって、
前記アクセスポイントの複数の識別子を含む該アクセスポイントへ接続するための接続設定情報を読み取る情報読み取り部と、
前記情報読み取り部が読み取った接続設定情報を記憶する記憶部と、
前記アクセスポイントから報知される該アクセスポイントの識別子と前記記憶部から読み出した接続設定情報とを用いて、該アクセスポイントとの間で無線通信接続の設定を行う制御部とを有する無線通信端末。
【請求項２】
請求項１に記載の無線通信端末において、
前記無線通信システムは、互いに同一または異なる複数の無線方式を用いた複数の無線通信手段を含むことを特徴とする無線通信端末。
【請求項３】
請求項１または請求項２に記載の無線通信端末において、
前記接続設定情報は、前記アクセスポイントとの間で無線通信接続の設定を行うための暗号化情報が含まれていることを特徴とする無線通信端末。
【請求項４】
請求項１から３のいずれか１項に記載の無線通信端末において、
前記接続設定情報は、前記アクセスポイントとの間の制御コマンドが含まれていることを特徴とする無線通信端末。
【請求項５】
請求項１から４のいずれか１項に記載の無線通信端末において、
前記接続設定情報は、図形、バーコード、二次元コード、またはＲＦタグなどを用いて提供されることを特徴とする無線通信端末。
【請求項６】
請求項５に記載の無線通信端末において、
前記接続設定情報は、該接続設定情報の文字列を任意の暗号化モードで暗号化した後、図形、バーコード、二次元コード、またはＲＦタグなどを用いて提供されることを特徴とする無線通信端末。
【請求項７】
請求項１から６のいずれか１項に記載の無線通信端末において、
前記制御部は、前記記憶部に記憶された接続設定情報のうち、あらかじめ決められた接続設定情報を用いて、前記アクセスポイントとの間で無線通信接続の設定を行うことを特徴とする無線通信端末。
【請求項８】
請求項１から７のいずれか１項に記載の無線通信端末において、
前記制御部は、前記記憶部に記憶された接続設定情報のうち、暗号化強度の最も高い接続設定情報を用いて、前記アクセスポイントとの間で無線通信接続の設定を行うことを特徴とする無線通信端末。
【請求項９】
請求項１から８のいずれか１項に記載の無線通信端末において、
前記制御部は、前記記憶部に記憶された接続設定情報のうち、無線信号の受信強度に応じて、前記アクセスポイントとの間で無線通信接続の設定を行うことを特徴とする無線通信端末。
【請求項１０】
請求項７に記載の無線通信端末において、
前記制御部は、前記記憶部に記憶された接続設定情報のうち、あらかじめ決められた１つの接続設定情報を用いて、前記アクセスポイントとの間で無線通信接続の設定を行うことを特徴とする無線通信端末。
【請求項１１】
請求項１から１０のいずれか１項に記載の無線通信端末で読み取られる接続設定情報を提供する情報提供媒体。
【請求項１２】
請求項１から１０のいずれか１項に記載の無線通信端末で読み取られる接続設定情報を提供するアクセスポイント。
【請求項１３】
請求項１２に記載のアクセスポイントにおいて、
前記接続設定情報を電子的に表示することで、該接続設定情報を提供することを特徴とするアクセスポイント。
【請求項１４】
請求項１２に記載のアクセスポイントにおいて、
前記接続設定情報を提供する情報提供媒体が貼付されることで、該接続設定情報を提供することを特徴とするアクセスポイント。
【請求項１５】
アクセスポイントと無線通信端末との間の無線通信方法であって、
前記アクセスポイントの複数の識別子を含む該アクセスポイントへ接続するための接続設定情報を読み取る処理と、
前記読み取った接続設定情報を記憶する処理と、
前記記憶されている前記接続設定情報を読み出す処理と、
前記アクセスポイントから報知される該アクセスポイントの識別子と前記読み出した接続設定情報とを用いて、該アクセスポイントとの間で無線通信接続の設定を行う処理とを行う無線通信方法。
【請求項１６】
アクセスポイントを含む無線通信システムに用いる無線通信端末に、
前記アクセスポイントの複数の識別子を含む該アクセスポイントへ接続するための接続設定情報を読み取る手順と、
前記読み取った接続設定情報を記憶する手順と、
前記記憶されている前記接続設定情報を読み出す手順と、
前記アクセスポイントから報知される該アクセスポイントの識別子と前記読み出した接続設定情報とを用いて、該アクセスポイントとの間で無線通信接続の設定を行う手順とを実行させるためのプログラム。
【発明の詳細な説明】
【技術分野】
【０００１】
本発明は、無線通信を行う無線通信端末、情報提供媒体、アクセスポイント、無線通信方法およびプログラムに関する。
【背景技術】
【０００２】
近年、携帯端末や、スマートフォンの普及により、携帯通信網を利用した大容量のデータ転送が増えてきている。そのため、携帯電話サービスを行っている各キャリアでは、携帯通信網の逼迫への対策を施すことが急務となってきている。
【０００３】
また、スマートフォンは、無線ＬＡＮ（Ｌｏｃａｌ  Ａｒｅａ  Ｎｅｔｗｏｒｋ）機能を装備するものが多い。携帯通信網における大容量のデータ転送のトラフィックを、この無線ＬＡＮ機能を用いて有線ネットワークへ移すことができれば、携帯通信網の逼迫を緩和することができると考えられている。
【０００４】
ここで、無線ＬＡＮの接続には、アクセスポイント等の親機から送信（報知）されるビーコン情報もしくはＰｒｏｂｅ  Ｒｅｓｐｏｎｓｅ情報の中に含まれている識別子であるＳＳＩＤ （Ｓｅｒｖｉｃｅ  Ｓｅｔ  Ｉｄｅｎｔｉｆｉｅｒ）と親機内にて定義した暗号モードとパスワードとを含む接続設定情報を、携帯端末等の子機側にプロファイルとして記録させることで、無線ＬＡＮ接続設定を行う。現在は、このプロファイルの設定は、携帯端末等の子機の利用者が手動で行っている。
【０００５】
また、通信先のアドレスをバーコード化しておき、バーコードスキャナで当該バーコードを読み取ることで、通信先にアクセスする技術が開示されている（例えば、特許文献１参照。）。
【先行技術文献】
【特許文献】
【０００６】
【特許文献１】特開２００１−１５４９６５号公報
【発明の概要】
【発明が解決しようとする課題】
【０００７】
しかしながら、上述したような手動の設定・接続では、全チャネルをスキャンして周囲にある全てのアクセスポイントを検索し、その検索結果をリスト表示して、その中で該当するアクセスポイント名と一致するものを探し出し、該当アクセスポイントと接続・通信するための暗号モードを一覧の中から選択して、該当アクセスポイントとの接続・通信するための暗号化キーを入力する必要がある。そのため、これらを行う手間がかかってしまうという問題点がある。さらに、親機が複数の無線回路を具備している、または複数のＳＳＩＤとパスワードとを持っている場合、利用者は携帯端末を接続したいＳＳＩＤの数だけ手動でプロファイルを作成しなければならないという問題点がある。
【０００８】
また、特許文献１に開示された技術は、通信先のアドレスの入力を自動化したものにすぎず、無線ＬＡＮ接続を行うための接続設定情報の入力を容易にするものではない。
【０００９】
本発明の目的は、上述した課題を解決する無線通信端末、情報提供媒体、アクセスポイント、無線通信方法およびプログラムを提供することである。
【課題を解決するための手段】
【００１０】
本発明の無線通信端末は、
アクセスポイントを含む無線通信システムに用いる無線通信端末であって、
前記アクセスポイントの複数の識別子を含む該アクセスポイントへ接続するための接続設定情報を読み取る情報読み取り部と、
前記情報読み取り部が読み取った接続設定情報を記憶する記憶部と、
前記アクセスポイントから報知される該アクセスポイントの識別子と前記記憶部から読み出した接続設定情報とを用いて、該アクセスポイントとの間で無線通信接続の設定を行う制御部とを有する。
【００１１】
また、本発明の情報提供媒体は、
アクセスポイントを含む無線通信システムに用いられ、
前記アクセスポイントの複数の識別子を含む該アクセスポイントへ接続するための接続設定情報を読み取る情報読み取り部と、
前記情報読み取り部が読み取った接続設定情報を記憶する記憶部と、
前記アクセスポイントから報知される該アクセスポイントの識別子と前記記憶部から読み出した接続設定情報とを用いて、該アクセスポイントとの間で無線通信接続の設定を行う制御部とを有する無線通信端末で読み取られる接続設定情報を提供する。
【００１２】
また、本発明のアクセスポイントは、
アクセスポイントを含む無線通信システムに用いられ、
前記アクセスポイントの複数の識別子を含む該アクセスポイントへ接続するための接続設定情報を読み取る情報読み取り部と、
前記情報読み取り部が読み取った接続設定情報を記憶する記憶部と、
前記アクセスポイントから報知される該アクセスポイントの識別子と前記記憶部から読み出した接続設定情報とを用いて、該アクセスポイントとの間で無線通信接続の設定を行う制御部とを有する無線通信端末で読み取られる接続設定情報を提供する。
【００１３】
また、本発明の無線通信方法は、
アクセスポイントと無線通信端末との間の無線通信方法であって、
前記アクセスポイントの複数の識別子を含む該アクセスポイントへ接続するための接続設定情報を読み取る処理と、
前記読み取った接続設定情報を記憶する処理と、
前記記憶されている前記接続設定情報を読み出す処理と、
前記アクセスポイントから報知される該アクセスポイントの識別子と前記読み出した接続設定情報とを用いて、該アクセスポイントとの間で無線通信接続の設定を行う処理とを行う。
【００１４】
また、本発明のプログラムは、
アクセスポイントを含む無線通信システムに用いる無線通信端末に実行させるためのプログラムであって、
前記アクセスポイントの複数の識別子を含む該アクセスポイントへ接続するための接続設定情報を読み取る手順と、
前記読み取った接続設定情報を記憶する手順と、
前記記憶されている前記接続設定情報を読み出す手順と、
前記アクセスポイントから報知される該アクセスポイントの識別子と前記読み出した接続設定情報とを用いて、該アクセスポイントとの間で無線通信接続の設定を行う手順とを実行させる。
【発明の効果】
【００１５】
以上説明したように、本発明においては、容易に無線ＬＡＮ接続を行うことができる。
【図面の簡単な説明】
【００１６】
【図１】本発明の無線通信端末とアクセスポイントが配置された無線通信システムの実施の一形態を示す図である。
【図２】図１に示した無線通信端末の内部構成の一例を示す図である。
【図３】図１に示したアクセスポイントの内部構成の一例を示す図である。
【図４】図３に示したアクセスポイントの外観の一例を示す図である。
【図５】図１に示したアクセスポイントの内部構成の他の例を示す図である。
【図６】図５に示したアクセスポイントの外観の一例を示す図である。
【図７】ラベルに書き込まれる接続設定情報の一例を示す図である。
【図８】図１に示した無線通信システムにおける無線通信方法のうち、無線通信端末が接続設定情報を読み取る処理を説明するためのフローチャートである。
【図９】図１に示した無線通信システムにおける無線通信方法のうち、無線通信端末とアクセスポイントとを接続する処理を説明するためのフローチャートである。
【図１０】アクセスポイントがＳＳＩＤをブロードキャストしない場合の一般的なＳＳＩＤの受信処理を説明するためのシーケンス図である。
【図１１】アクセスポイントがＳＳＩＤをブロードキャストしない場合の本発明におけるＳＳＩＤの受信処理を説明するためのシーケンス図である。
【図１２】アクセスポイントがＳＳＩＤをブロードキャストする場合の一般的なＳＳＩＤの受信処理を説明するためのシーケンス図である。
【図１３】アクセスポイントがＳＳＩＤをブロードキャストする場合の本発明におけるＳＳＩＤの受信処理を説明するためのシーケンス図である。
【図１４】汎用のコードリーダーを用いて専用のアプリケーションをダウンロードする処理を説明するためのフローチャートである。
【発明を実施するための形態】
【００１７】
以下に、本発明の実施の形態について図面を参照して説明する。
【００１８】
図１は、本発明の無線通信端末とアクセスポイントとが配置された無線通信システムの実施の一形態を示す図である。
【００１９】
本形態は図１に示すように、本発明の無線通信端末１００と、アクセスポイント２００とから構成されている。
【００２０】
無線通信端末１００は、無線ＬＡＮ機能を具備する無線通信装置であり、無線ＬＡＮ機能を用いて、アクセスポイント２００と接続する。
【００２１】
アクセスポイント２００は、無線ＬＡＮ機能を用いて、無線通信端末１００と接続する。また、アクセスポイント２００は、有線を用いて通信ネットワーク３００と接続されている。
【００２２】
また、無線通信端末１００は、携帯電話回線を介して、一般的な携帯電話網の無線基地局である携帯電話用基地局４００と接続可能であり、携帯電話用基地局４００を介して通信ネットワーク５００と接続される。また、通信ネットワーク５００には、ネットワークサーバー６００が接続されている。ネットワークサーバー６００では、無線ＬＡＮ接続のためのプロファイルを一括管理することができる。
【００２３】
図２は、図１に示した無線通信端末１００の内部構成の一例を示す図である。
【００２４】
図１に示した無線通信端末１００には図２に示すように、情報読み取り部１１０と、記憶部１２０と、制御部１３０と、無線ＬＡＮインタフェース部１４０と、携帯電話網インタフェース部１５０とが設けられている。なお、図２には、図１に示した無線通信端末１００が具備する構成要素のうち、本発明に関わる構成要素のみを示した。
【００２５】
情報読み取り部１１０は、アクセスポイント２００へ接続するための接続設定情報を読み取る。読み取りの方法は、接続設定情報の提供の仕方に寄るが、接続設定情報が書き込まれた図形、バーコードや二次元コード等のコードを読み取る方法（カメラやコードリーダー）や、ＲＦ（Ｒａｄｉｏ  Ｆｒｅｑｕｅｎｃｙ）タグに書き込まれた情報を読み取る方法である。また、この接続設定情報には、アクセスポイント２００に設定されている複数のＳＳＩＤが識別子として含まれている。また、情報読み取り部１１０は、接続設定情報をどこから読み取るかについては、後述する。なお、情報読み取り部１１０が読み取った接続設定情報は、無線通信端末１００が具備する表示部（不図示）に表示させても良い。
【００２６】
また、この接続設定情報には、アクセスポイント２００との間で無線通信接続の設定を行うための暗号化情報およびアクセスポイント２００との間の制御コマンドが含まれている。
【００２７】
記憶部１２０は、情報読み取り部１１０が読み取った接続設定情報をプロファイルとして記憶する。このとき、記憶部１２０は、接続設定情報に含まれる識別子（ＳＳＩＤ）を検索キーとして、当該接続設定情報を検索できるように記憶するものが好ましい。つまり、記憶部１２０の中で、検索対応として指定する領域に、ＳＳＩＤを記憶し、それに対応付けて、接続設定情報に含まれる他の要素を記憶するものが好ましい。
【００２８】
なお、記憶部１２０に記憶されたプロファイルは、赤外線通信や、移設可能な記憶媒体などを介して、他の装置へ転送（コピー）することができる。さらに、記憶部１２０に記憶されたプロファイルは、携帯電話網インタフェース部１５０を介してネットワークサーバー６００上に一括管理することができる。また、該当アクセスポイントのプロファイル情報が変更された場合、該当アクセスポイントがネットワークサーバー６００へ、変更した内容を通達し、ネットワークサーバー６００は、携帯電話網を使って、無線通信端末１００へ、変更の通知を行う。
【００２９】
制御部１３０は、情報読み取り部１１０が読み取った接続設定情報をプロファイルとして記憶部１２０に書き込む。また、制御部１３０は、記憶部１２０から接続設定情報を読み出す。また、制御部１３０は、アクセスポイント２００から報知（ブロードキャスト）される、アクセスポイント２００のＳＳＩＤと、記憶部１２０から読み出した接続設定情報とを用いて、無線ＬＡＮインタフェース部１４０を介して、アクセスポイント２００との間で無線通信接続の設定を行う。なお、アクセスポイント２００がＳＳＩＤを隠蔽する機能（ＳＳＩＤステルス機能）を有効にしている場合は、制御部１３０は、無線通信端末１００からアクセスポイント２００をスキャンする際に、プロファイルに記載しているＳＳＩＤをスキャンパケットに載せて送信し、アクセスポイント２００は自身のＳＳＩＤが載ったスキャンパケットに対してのみＳＳＩＤを開示して、当該スキャンパケットに応答することでアクセスポイント２００と無線通信端末１００と間の無線通信接続を行う。上述したように、記憶部１２０には複数のＳＳＩＤが記憶されており、制御部１３０は、そのうち、あらかじめ決められたＳＳＩＤ（以下、優先ＳＳＩＤと称する）に対して検索を行う。つまり、アクセスポイント２００から報知される、アクセスポイント２００のＳＳＩＤと同じ優先ＳＳＩＤを記憶部１２０から検索する。また、記憶部１２０内において、優先ＳＳＩＤには、例えば、１ビットのフラグを立てておく等、何らかの印を付与しておいても良い。
【００３０】
また、制御部１３０は、優先ＳＳＩＤを選択する。この選択方法は、後述する。また、制御部１３０は、無線ＬＡＮインタフェース部１４０が優先ＳＳＩＤを決定するために無線スキャンを行った後、優先ＳＳＩＤを決定する。
【００３１】
この優先ＳＳＩＤは、１つであっても良いし、複数であっても良い。優先ＳＳＩＤを１つとする場合、無線通信端末１００の外部からの操作で設定可能とするものであっても良いし、無線通信状態が最良の周波数帯域を用いるＳＳＩＤを優先ＳＳＩＤとするものであっても良いし、接続設定情報に示されている暗号化モードが暗号化の強度が最も高いものを示しているＳＳＩＤを優先ＳＳＩＤとするものであっても良い。また、プライマリＳＳＩＤとセカンダリＳＳＩＤなど複数のＳＳＩＤを設定しておき、アクセスポイント２００へのアクセスレベルに応じてプライマリＳＳＩＤあるいはその他のＳＳＩＤを優先ＳＳＩＤとするものであっても良い。なお、無線通信状態が最良かどうかを判定する方法として、以下に示す方法が考えられる。
（１）固定的に決める方法（無線周波数が２．４ＧＨｚ帯を使用するＳＳＩＤと５ＧＨｚ帯を使用するＳＳＩＤとがある場合、アプリケーションであらかじめ決めていた一方のＳＳＩＤを選択する）。
（２）全チャネルに対して無線スキャンを行い、接続したいアクセスポイントと同じチャネルに存在する他のアクセスポイントの無線信号の受信強度に応じて決める（他のアクセスポイントの受信強度に対する該当アクセスポイントの受信強度の割合、または受信強度の差分を算出して、より割合が大きな、または差分が大きなＳＳＩＤを選択する）方法。
（３）全チャネルに対して無線スキャンを行い、接続したいアクセスポイントと同じチャネルに存在する他のアクセスポイントの数に応じて決める方法。
【００３２】
なお、優先ＳＳＩＤを決定するポリシー（１）（２）（３）は記憶部１２０に展開され、無線ＬＡＮインタフェース部１４０で受信したＳＳＩＤと接続設定情報から読み取り部１１０で読み取ったＳＳＩＤとを制御部１３０がポリシー（１）（２）（３）を参照しながら、ＳＳＩＤを決定する。
【００３３】
無線スキャンを行って決定する場合、アクセスポイントからの返答の中に、生成したプロファイル（接続設定情報）に記載されているアクセスポイント情報が返信されてこなかった周波数帯域は、優先ＳＳＩＤの決定から除外する。
【００３４】
また、制御部１３０は、プロファイルを記憶部１２０に書き込んだ後、優先ＳＳＩＤを決める際や、優先接続後に接続を行うときの無線スキャンおよび接続要求の際に、アクセスポイントがＳＳＩＤを隠蔽しているもの（ＳＳＩＤステルス機能を具備しているもの）にも対応できるように、無線スキャンをする際にはアクセスポイントのＳＳＩＤをパケット情報に付与して送信するアクティブスキャンも実施する。
【００３５】
無線ＬＡＮインタフェース部１４０は、アクセスポイント２００との間で無線ＬＡＮ通信を行うためのインタフェース機能を持つ。また、無線ＬＡＮインタフェース部１４０は、優先ＳＳＩＤを決定するために、無線スキャンを実施する。
【００３６】
携帯電話網インタフェース部１５０は、携帯電話網へアクセスするためのインタフェース機能を持つ。
【００３７】
また、図１に示した無線通信システムは、互いに同一または異なる複数の無線方式を用いた複数の無線通信手段を含む。例えば、携帯電話回線へ接続する無線方式、無線ＬＡＮの無線方式、赤外線通信、他の無線方式、またはそれらの無線方式の中でも互いに異なる無線周波数を用いるものを含む。
【００３８】
図３は、図１に示したアクセスポイント２００の内部構成の一例を示す図である。
【００３９】
図１に示したアクセスポイント２００には図３に示すように、無線ＬＡＮインタフェース部２１０−１，２１０−２と、制御部２２０と、有線インタフェース部２３０と、ラベル２４０とが設けられている。なお、図３には、図１に示したアクセスポイント２００が具備する構成要素のうち、本発明に関わる構成要素のみを示した。
【００４０】
無線ＬＡＮインタフェース部２１０−１，２１０−２は、無線ＬＡＮ機能を具備する無線通信端末１００との間で、無線ＬＡＮ通信を行うためのインタフェース機能を持つ。また、無線ＬＡＮインタフェース部２１０−１と、無線ＬＡＮインタフェース部２１０−２とは、互いに異なる接続設定情報を持つ。この接続設定情報の提供の仕方については、後述する。
【００４１】
制御部２２０は、アクセスポイント２００全体を制御する。また、制御部２２０は、無線ＬＡＮインタフェース部２１０−１，２１０−２と無線通信端末１００との間で送受信する信号と、有線インタフェース部２３０と通信ネットワーク３００との間で送受信する信号との仲介を行う。
【００４２】
有線インタフェース部２３０は、通信ネットワーク３００との間で有線通信を行うためのインタフェース機能を持つ。
【００４３】
ラベル２４０は、接続設定情報を提供する情報提供媒体である。ラベル２４０には、接続設定情報が書き込まれている。ラベル２４０に書き込まれた接続設定情報は、図形、バーコード、二次元コードを用いて変換されて表示（印刷）されているものであっても良いし、ラベル２４０がＲＦタグであり、ラベル２４０内部のメモリに接続設定情報が電子的に書き込まれているものであっても良い。また、これらの接続設定情報の文字列は、任意の暗号化方式で暗号化されているものであっても良い。
【００４４】
図４は、図３に示したアクセスポイント２００の外観の一例を示す図である。
【００４５】
図３に示したアクセスポイント２００には図４に示すように、ラベル２４０が貼付されている。貼付されたラベル２４０に書き込まれた接続設定情報を、無線通信端末１００の情報読み取り部１１０が読み取ることで、アクセスポイント２００への接続設定情報を無線通信端末１００が取得する。
【００４６】
図５は、図１に示したアクセスポイント２００の内部構成の他の例を示す図である。
【００４７】
図１に示したアクセスポイント２００には図５に示すように、無線ＬＡＮインタフェース部２１０−１，２１０−２と、制御部２２０と、有線インタフェース部２３０と、ラベル生成部２５０と、表示部２６０とが設けられている。なお、図５には、図１に示したアクセスポイント２００が具備する構成要素のうち、本発明に関わる構成要素のみを示した。
【００４８】
無線ＬＡＮインタフェース部２１０−１，２１０−２、制御部２２０、および有線インタフェース部２３０は、図３に示したものと同じである。
【００４９】
ラベル生成部２５０は、無線ＬＡＮインタフェース部２１０−１，２１０−２への接続設定情報を表示するラベルを生成する。このラベルは、表示部２６０に表示されたときに、無線通信端末１００の情報読み取り部１１０が識別できる表示とする。このラベルは、接続設定情報の文字列を図形、バーコード、二次元コードなどへ変換したものである。また、これらの接続設定情報の文字列は、暗号化されているものであっても良い。
【００５０】
表示部２６０は、ラベル生成部２５０が生成したラベルを電子的に表示するディスプレイである。
【００５１】
図６は、図５に示したアクセスポイント２００の外観の一例を示す図である。
【００５２】
図５に示したアクセスポイント２００には図６に示すように、情報を表示する表示部２６０が搭載され、表示部２６０にラベル（図中、斜線部分）が表示される。表示されたラベルに記載された接続設定情報を、無線通信端末１００の情報読み取り部１１０が読み取ることで、アクセスポイント２００への接続設定情報を無線通信端末１００が取得する。
【００５３】
また、接続設定情報が書き込まれたラベルは、アクセスポイント２００に貼付や表示されるものでなく、情報提供媒体としてアクセスポイント２００と同梱されたものであっても良い。また、当該ラベルは、アクセスポイント２００の広告に掲載されるものであっても良い。また、ＰＣ（Ｐｅｒｓｏｎａｌ  Ｃｏｍｐｕｔｅｒ）等の通信端末からアクセスポイント２００経由でＷｅｂにアクセスし、当該ＰＣにアクセスポイント２００のＩＰ（Ｉｎｔｅｒｎｅｔ  Ｐｒｏｔｏｃｏｌ）アドレスを入力して、アクセスポイント２００へアクセスし、そのＷｅｂページに表示されるものであっても良い。
【００５４】
以上説明した接続設定情報には、以下に示す情報が含まれている。
・アクセスポイント２００が無線ＬＡＮ通信を行うためのすべてのＳＳＩＤ
・そのすべてのＳＳＩＤに必要な無線接続をする際の暗号化モード情報
・それぞれの暗号化モードに用いる無線データの暗号化キー情報
・アクセスポイント２００の製品情報（製品名）
・アクセスポイント２００のＭＡＣ（Ｍｅｄｉａ  Ａｃｃｅｓｓ  Ｃｏｎｔｒｏｌ）アドレス
・ＷｅｂサイトのＵＲＬ（Ｕｎｉｆｏｒｍ  Ｒｅｓｏｕｒｃｅ  Ｌｏｃａｔｏｒ）
・コードのバージョン情報
・無線通信端末およびアクセスポイントを制御する制御コマンド
これらの情報の一部または全部を特定の暗号モードで暗号化しておくことで、汎用のコードリーダーを用いて読み取ろうとしても、当該情報を正しく読み取ることができないようにしても良い。
【００５５】
図７は、ラベルに書き込まれる接続設定情報の一例を示す図である。
【００５６】
図７に示すように、接続設定情報には、ＵＲＬ、製造番号、ＭＡＣアドレス、およびラベルの版数が含まれている。また、ＳＳＩＤごとに、そのＳＳＩＤ、パスワード、ネットワーク番号が記載されている。
【００５７】
以下に、本形態における無線通信方法について説明する。
【００５８】
図８は、図１に示した無線通信システムにおける無線通信方法のうち、無線通信端末１００が接続設定情報を読み取る処理を説明するためのフローチャートである。ここでは、接続設定情報が、二次元コードで表示され、その表示ラベルがアクセスポイント２００に貼付されている場合を例に挙げて説明する。また、無線通信端末１００の各要素の処理がアプリケーションの実行（制御部１３０が実行）によって実現される場合を例に挙げて説明する。
【００５９】
まず、情報読み取り部１１０が、無線通信端末１００の利用者の操作に基づいて、アクセスポイント２００に貼付されたラベルに表示された二次元コードを読み取る（ステップＳ１）。
【００６０】
すると、情報読み取り部１１０が、読み取った二次元コードのフォーマットが、専用のフォーマットであるかどうかを判別する（ステップＳ２）。このフォーマットの確認は、あらかじめ設定されたフォーマットを、情報読み取り部１１０が認識しており、その認識しているフォーマットと、読み取った二次元コードのフォーマットとが、同一または対応可能なものであるかどうかを判別することで実現される。
【００６１】
情報読み取り部１１０が、読み取った二次元コードのフォーマットが、専用のフォーマットではない場合、専用のフォーマットではない旨を示すエラー表示が行われる（ステップＳ３）。この表示は、無線通信端末１００に具備された表示部にて行われる。
【００６２】
一方、情報読み取り部１１０が、読み取った二次元コードのフォーマットが、専用のフォーマットである場合は、その二次元コードが示す接続設定情報に含まれるバージョン情報が、制御部１３０が実行するアプリケーションと対応可能なバージョンを示すものであるかどうかを制御部１３０が判別する（ステップＳ４）。対応可能かどうかの判別方法は、一般的な方法であっても良い。例えば、対となるアプリケーション間で互換性のあるものかどうかを判別する方法と同様の方法を用いるものであっても良い。
【００６３】
対応可能なバージョンである場合、制御部１３０は、読み取った二次元コードが暗号化された文字列であるかどうかを判別し（ステップＳ５）、読み取った二次元コードが暗号化された文字列である場合、制御部１３０は、読み取った二次元コードから接続設定情報を復号し（ステップＳ６）、復号した接続設定情報をプロファイルとして、複数のＳＳＩＤごとに記憶部１２０に書き込む（ステップＳ７）。この復号には、あらかじめ決められた暗号化方式（暗号化情報）が用いられる。例えば、暗号および復号に用いる文字列を特定の文字列としておくものであっても良い。また、接続設定情報を平文で提供していた場合は、ステップＳ６の接続設定情報の復号処理は省略される。端末が受け取った接続設定情報が平文か暗号化されたものかを判断するには、接続設定情報内に特定のビットを立てておくなどする。
【００６４】
一方、バージョンが対応可能ではない場合は、無線通信端末１００は、携帯電話網インタフェース部１５０を介して携帯電話網のＷｅｂにアクセスし、最新のバージョンのアプリケーションをダウンロードする（ステップＳ８）。
【００６５】
次に、図１に示した無線通信システムにおける無線通信方法のうち、無線通信端末１００とアクセスポイント２００とを接続する処理について説明する。
【００６６】
図９は、図１に示した無線通信システムにおける無線通信方法のうち、無線通信端末１００とアクセスポイント２００とを接続する処理を説明するためのフローチャートである。
【００６７】
まず、アクセスポイント２００から報知されるＳＳＩＤを、無線通信端末１００の無線ＬＡＮインタフェース部１４０が受信すると（ステップＳ１１）、制御部１３０が、受信したＳＳＩＤを検索キーとして、記憶部１２０に記憶されている接続設定情報（ＳＳＩＤ）を検索する（ステップＳ１２）。
【００６８】
ＳＳＩＤが検索できた場合、検索できたＳＳＩＤと対応付けられている接続設定情報を制御部１３０が記憶部１２０から読み出す（ステップＳ１３）。そして、制御部１３０は、読み出した接続設定情報を用いて、無線ＬＡＮインタフェース部１４０と、アクセスポイント２００との接続設定を行う（ステップＳ１４）。
【００６９】
接続設定が完了すると、無線ＬＡＮインタフェース部１４０と、アクセスポイント２００との間で、無線ＬＡＮ通信が開始される（ステップＳ１５）。さらに、制御部２２０は、該当アクセスポイントにあらかじめ登録している無線通信端末のＭＡＣアドレスと一致しない無線通信端末からの無線接続を拒否する機能（ＭＡＣアドレスフィルタリング機能）が有効である場合、接続を許可する無線通信端末のＭＡＣアドレスの一覧に該当無線通信端末のＭＡＣアドレスを追加する。
【００７０】
また、例えば、接続設定情報を示す二次元コードに、ＷｅｂサイトへのＵＲＬ情報を、暗号化されていない平文で記載することで、当該二次元コードを汎用のコードリーダーを用いて読み取った場合、当該Ｗｅｂへアクセスすることができるようにするものであっても良い。無線通信端末１００が、そのＷｅｂサイトへアクセスすることができれば、当該Ｗｅｂサイトから専用アプリケーションのダウンロードを行うことができる。なお、このとき、無料ユーザには平文を、また有料ユーザには暗号文を、それぞれランク付けして用いたりすることで、提供サービスにユーザごとの重み付けを持たせるものであっても良い。
【００７１】
以下に、ＳＳＩＤの受信処理について、一般的な処理と本発明における処理とを比較して詳細に説明する。
【００７２】
まずは、アクセスポイントがＳＳＩＤをブロードキャストしない場合の一般的なＳＳＩＤの受信処理について説明する。
【００７３】
図１０は、アクセスポイントがＳＳＩＤをブロードキャストしない場合の一般的なＳＳＩＤの受信処理を説明するためのシーケンス図である。
【００７４】
まず、無線通信端末に、利用者が手動で、接続したいアクセスポイントのＳＳＩＤ、暗号化モードおよびパスワードを入力し、プロファイルを作成する（ステップＳ２１）。
【００７５】
その後、アクセスポイントが、ＳＳＩＤを含まないＢｅａｃｏｎ信号を送信すると（ステップＳ２２）、無線通信端末に入力されたＳＳＩＤのアクセスポイントを探索するために、Ｐｒｏｂｅ−Ｒｅｑｕｅｓｔ信号（ＳＳＩＤを含む）を無線通信端末が送信する（ステップＳ２３）。すると、Ｐｒｏｂｅ−Ｒｅｑｕｅｓｔ信号に含まれるＳＳＩＤのアクセスポイントが、その応答信号であるＰｒｏｂｅ−Ｒｅｓｐｏｎｓｅ信号（ＳＳＩＤを含む）を無線通信端末へ送信する（ステップＳ２４）。
【００７６】
そのＰｒｏｂｅ−Ｒｅｓｐｏｎｓｅ信号に含まれるＳＳＩＤを無線通信端末が受信すると（ステップＳ２５）、無線通信端末は、Ａｕｔｈ信号をアクセスポイントへ送信する（ステップＳ２６）。すると、その応答信号であるＡｕｔｈ信号を、アクセスポイントが無線通信端末へ送信する（ステップＳ２７）。
【００７７】
そして、無線通信端末は、Ａｓｓｏｃｉａｔｉｏｎ−Ｒｅｑｕｅｓｔ信号をアクセスポイントへ送信し（ステップＳ２８）、その応答信号であるＡｓｓｏｃｉａｔｉｏｎ−Ｒｅｓｐｏｎｓｅ信号を、アクセスポイントが無線通信端末へ送信する（ステップＳ２９）。
【００７８】
上述した各信号の内容については、一般に周知されているものであるため、ここでは特に説明しない。以下についても同じである。
【００７９】
次に、アクセスポイントがＳＳＩＤをブロードキャストしない場合の本発明におけるＳＳＩＤの受信処理について説明する。
【００８０】
図１１は、アクセスポイントがＳＳＩＤをブロードキャストしない場合の本発明におけるＳＳＩＤの受信処理を説明するためのシーケンス図である。
【００８１】
まず、無線通信端末１００の情報読み取り部１１０が、アクセスポイント２００のラベル２４０から、アクセスポイントのＳＳＩＤやパスワードが含まれる接続設定情報を読み取り、読み取った接続設定情報を制御部１３０が記憶部１２０に書き込む（ステップＳ３１）。
【００８２】
その後、アクセスポイント２００が、ＳＳＩＤを含まないＢｅａｃｏｎ信号を送信すると（ステップＳ３２）、無線通信端末１００が読み取って記憶されているＳＳＩＤのアクセスポイントを探索するために、Ｐｒｏｂｅ−Ｒｅｑｕｅｓｔ信号（ＳＳＩＤを含む）を無線通信端末１００が送信する（ステップＳ３３）。すると、Ｐｒｏｂｅ−Ｒｅｑｕｅｓｔ信号に含まれるＳＳＩＤのアクセスポイント２００が、その応答信号であるＰｒｏｂｅ−Ｒｅｓｐｏｎｓｅ信号（ＳＳＩＤを含む）を無線通信端末１００へ送信する（ステップＳ３４）。
【００８３】
そのＰｒｏｂｅ−Ｒｅｓｐｏｎｓｅ信号に含まれるＳＳＩＤを無線通信端末１００が受信すると（ステップＳ３５）、無線通信端末１００は、Ａｕｔｈ信号をアクセスポイント２００へ送信する（ステップＳ３６）。すると、その応答信号であるＡｕｔｈ信号を、アクセスポイント２００が無線通信端末１００へ送信する（ステップＳ３７）。
【００８４】
そして、無線通信端末１００は、Ａｓｓｏｃｉａｔｉｏｎ−Ｒｅｑｕｅｓｔ信号をアクセスポイント２００へ送信し（ステップＳ３８）、その応答信号であるＡｓｓｏｃｉａｔｉｏｎ−Ｒｅｓｐｏｎｓｅ信号を、アクセスポイント２００が無線通信端末１００へ送信する（ステップＳ３９）。
【００８５】
次に、アクセスポイントがＳＳＩＤをブロードキャストする場合の一般的なＳＳＩＤの受信処理について説明する。
【００８６】
図１２は、アクセスポイントがＳＳＩＤをブロードキャストする場合の一般的なＳＳＩＤの受信処理を説明するためのシーケンス図である。
【００８７】
アクセスポイントが、ＳＳＩＤを含むＢｅａｃｏｎ信号を送信すると（ステップＳ４１）、Ｐｒｏｂｅ−Ｒｅｑｕｅｓｔ信号（ＳＳＩＤを含まない）を無線通信端末が送信する（ステップＳ４２）。すると、アクセスポイントが、その応答信号であるＰｒｏｂｅ−Ｒｅｓｐｏｎｓｅ信号（ＳＳＩＤを含む）を無線通信端末へ送信する（ステップＳ４３）。
【００８８】
そのＰｒｏｂｅ−Ｒｅｓｐｏｎｓｅ信号に含まれるＳＳＩＤを無線通信端末が受信すると（ステップＳ４４）、受信したＳＳＩＤが複数ある場合は、利用者がその複数のＳＳＩＤの中から接続したいアクセスポイントのＳＳＩＤを選択し（ステップＳ４５）、無線通信端末に暗号化モードおよびパスワードを手動で入力する（ステップＳ４６）。
【００８９】
続いて、無線通信端末は、Ａｕｔｈ信号をアクセスポイントへ送信する（ステップＳ４７）。すると、その応答信号であるＡｕｔｈ信号を、アクセスポイントが無線通信端末へ送信する（ステップＳ４８）。
【００９０】
そして、無線通信端末は、Ａｓｓｏｃｉａｔｉｏｎ−Ｒｅｑｕｅｓｔ信号をアクセスポイントへ送信し（ステップＳ４９）、その応答信号であるＡｓｓｏｃｉａｔｉｏｎ−Ｒｅｓｐｏｎｓｅ信号を、アクセスポイントが無線通信端末へ送信する（ステップＳ５０）。
【００９１】
次に、アクセスポイントがＳＳＩＤをブロードキャストする場合の本発明におけるＳＳＩＤの受信処理について説明する。
【００９２】
図１３は、アクセスポイントがＳＳＩＤをブロードキャストする場合の本発明におけるＳＳＩＤの受信処理を説明するためのシーケンス図である。
【００９３】
まず、無線通信端末１００の情報読み取り部１１０が、アクセスポイント２００のラベル２４０から、アクセスポイントのＳＳＩＤやパスワードが含まれる接続設定情報を読み取る（ステップＳ５１）。
【００９４】
その後、アクセスポイント２００が、ＳＳＩＤを含むＢｅａｃｏｎ信号を送信すると（ステップＳ５２）、Ｐｒｏｂｅ−Ｒｅｑｕｅｓｔ信号（ＳＳＩＤを含まない）を無線通信端末１００が送信する（ステップＳ５３）。すると、アクセスポイント２００が、その応答信号であるＰｒｏｂｅ−Ｒｅｓｐｏｎｓｅ信号（ＳＳＩＤを含む）を無線通信端末１００へ送信する（ステップＳ５４）。
【００９５】
そのＰｒｏｂｅ−Ｒｅｓｐｏｎｓｅ信号に含まれるＳＳＩＤを無線通信端末１００が受信すると（ステップＳ５５）、無線通信端末１００は、受信したＳＳＩＤと読み取った接続設定情報とを用いてアクセスポイント２００との間で無線通信接続の設定を行うために、Ａｕｔｈ信号をアクセスポイント２００へ送信する（ステップＳ５６）。すると、その応答信号であるＡｕｔｈ信号を、アクセスポイント２００が無線通信端末１００へ送信する（ステップＳ５７）。
【００９６】
そして、無線通信端末１００は、Ａｓｓｏｃｉａｔｉｏｎ−Ｒｅｑｕｅｓｔ信号をアクセスポイント２００へ送信し（ステップＳ５８）、その応答信号であるＡｓｓｏｃｉａｔｉｏｎ−Ｒｅｓｐｏｎｓｅ信号を、アクセスポイント２００が無線通信端末１００へ送信する（ステップＳ５９）。
【００９７】
図１４は、汎用のコードリーダーを用いて専用のアプリケーションをダウンロードする処理を説明するためのフローチャートである。
【００９８】
まず、無線通信端末１００の利用者の操作に基づいて、汎用のコードリーダーを用いて、アクセスポイント２００に貼付されたラベルに表示されたコード情報を読み取る（ステップＳ６１）。そして、制御部１３０は、読み取ったコード情報に平文で記載されたＵＲＬ情報を取得する（ステップＳ６２）。
【００９９】
すると制御部１３０は、取得したＵＲＬが示すＷｅｂサイトへ、携帯電話網インタフェース部１５０を介してアクセスを行い（ステップＳ６３）、アクセスしたＷｅｂサイトから専用アプリケーションのダウンロードする（ステップＳ６４）。
【０１００】
また、専用アプリケーションのバージョンが、自身の対応バージョンよりも新しい場合、専用アプリケーションのバージョンアップを、コード情報に記載のＵＲＬが示すＷｅｂサイトから行うことができるようにするものであっても良い。
【０１０１】
また、アクセスポイント２００のＳＳＩＤ情報や、暗号モード、暗号化キーが変更になった場合、アクセスポイント２００の表示部２６０や、アクセスポイント２００をＷＥＢサーバーとして、ＰＣ（Ｐｅｒｓｏｎａｌ  Ｃｏｍｐｕｔｅｒ）などの通信端末から有線／無線ＬＡＮ経由でＷＥＢサーバーにアクセスした際のＷＥＢブラウザ上に、新しい接続設定情報を掲載し、無線通信端末１００は再度接続を実施するものであっても良い。
【０１０２】
このように、無線ＬＡＮの接続設定、複数のプロファイルの切り替え選択が容易に行えるようになり、無線ＬＡＮ接続の利用者の接続作業の軽減を図ることができる。
【０１０３】
上述した無線通信端末１００に設けられた各構成要素が行う処理は、目的に応じてそれぞれ作製された論理回路で行うようにしても良い。また、処理内容を手順として記述したコンピュータプログラム（以下、プログラムと称する）を無線通信端末１００にて読取可能な記録媒体に記録し、この記録媒体に記録されたプログラムを無線通信端末１００に読み込ませ、実行するものであっても良い。無線通信端末１００にて読取可能な記録媒体とは、フロッピー（登録商標）ディスク、光磁気ディスク、ＤＶＤ、ＣＤなどの移設可能な記録媒体の他、無線通信端末１００に内蔵された記憶部１２０、ＲＯＭ、ＲＡＭ等のメモリやＨＤＤ等を指す。この記録媒体に記録されたプログラムは、無線通信端末１００に設けられた制御部１３０にて読み込まれ、制御部１３０の制御によって、上述したものと同様の処理が行われる。ここで、制御部１３０は、プログラムが記録された記録媒体から読み込まれたプログラムを実行するコンピュータとして動作するものである。
【符号の説明】
【０１０４】
１００    無線通信端末
１１０    情報読み取り部
１２０    記憶部
１３０，２２０    制御部
１４０，２１０−１，２１０−２    無線ＬＡＮインタフェース部
１５０    携帯電話網インタフェース部
２００    アクセスポイント
２３０    有線インタフェース部
２４０    ラベル
２５０    ラベル生成部
２６０    表示部
３００，５００    通信ネットワーク
４００    携帯電話用基地局
６００    ネットワークサーバー
【図１】
2013143616.tif 000003
【図２】
2013143616.tif 000004
【図３】
2013143616.tif 000005
【図４】
2013143616.tif 000006
【図５】
2013143616.tif 000007
【図６】
2013143616.tif 000008
【図７】
2013143616.tif 000009
【図８】
2013143616.tif 000010
【図９】
2013143616.tif 000011
【図１０】
2013143616.tif 000012
【図１１】
2013143616.tif 000013
【図１２】
2013143616.tif 000014
【図１３】
2013143616.tif 000015
【図１４】
2013143616.tif 000016